(57)【要約】送受信部２１が現在位置を検出して当該位置情報をアクセスポイント管理装置１５に送信する一方、そのアクセスポイント管理装置１５が当該位置情報を受信して携帯電話機１１の近傍に位置する固定端末１２のデバイス・アドレスＢＤ＿ＡＤＤＲを返送してくると、そのデバイス・アドレスＢＤ＿ＡＤＤＲを受信する。
2002082852.tif 000002
【特許請求の範囲】
【請求項１】
現在位置を検出して当該位置情報をアクセスポイント管理装置に送信する送信手段と、上記アクセスポイント管理装置が当該位置情報を受信して近傍に位置するアクセスポイントのデバイス・アドレスを返送してくると、そのデバイス・アドレスを受信する受信手段と、上記受信手段により受信されたデバイス・アドレスを用いて上記アクセスポイントとブルートゥースのリンクを確立するリンク確立手段とを備えた携帯情報端末。
【請求項２】
リンク確立手段は、ブルートゥース仕様に規定されたページシーケンスを実行して、アクセスポイントとブルートゥースのリンクを確立することを特徴とする請求の範囲第１項記載の携帯情報端末。
【請求項３】
近傍に位置するアクセスポイントのデバイス・アドレスを位置情報に基づいて検索し、そのデバイス・アドレスを送信するアクセスポイント管理装置と、現在位置を検出して当該位置情報を上記アクセスポイント管理装置に送信する送信手段、上記アクセスポイント管理装置から送信されたデバイス・アドレスを受信する受信手段、及び上記受信手段により受信されたデバイス・アドレスを用いて上記アクセスポイントとブルートゥースのリンクを確立するリンク確立手段から構成された携帯情報端末とを備えた無線通信システム。
【請求項４】
アクセスポイントが固定端末であることを特徴とする請求の範囲第３項記載の無線通信システム。
【請求項５】
アクセスポイントが携帯情報端末であることを特徴とする請求の範囲第３項記載の無線通信システム。
【請求項６】
現在位置を検出して当該位置情報をアクセスポイント管理装置に送信する一方、上記アクセスポイント管理装置が当該位置情報を受信して近傍に位置するアクセスポイントのデバイス・アドレスを返送してくると、そのデバイス・アドレスを受信し、そのデバイス・アドレスを用いて上記アクセスポイントとブルートゥースのリンクを確立するリンク確立方法。
【発明の詳細な説明】
技術分野
この発明は、ブルートゥース（Ｂｌｕｅｔｏｏｔｈ）のリンクを確立する携帯情報端末、無線通信システム及びリンク確立方法に関するものである。
背景技術
第１図は従来の無線通信システムを示す構成図であり、１は携帯情報端末である携帯電話機、２〜５は携帯電話機１の周辺領域に存在する自動販売機などの固定端末（アクセスポイント）である。
次に動作について説明する。
例えば、ユーザが携帯電話機１を用いて固定端末５を操作する場合、携帯電話機１と固定端末５間をブルートゥースにより相互接続する。
具体的には、ブルートゥースのリンクを確立する場合、第２図に示すように、携帯電話機１が“Ｉｎｑｕｉｒｙ”と呼ばれるアドレス要求信号を発信する。
固定端末２〜５は、携帯電話機１から発信されるアドレス要求信号を受信すると、固有のデバイス・アドレスをそれぞれ“ＤｅｖｉｃｅＡ”〜“ＤｅｖｉｃｅＤ”として携帯電話機１に返信する。
携帯電話機１は、固定端末２〜５から固有のデバイス・アドレスを受信すると、まず、固定端末２に対してブルートゥース仕様（Ｓｐｅｃｉｆｉｃａｔｉｏｎ  ｏｆ  ｔｈｅ  Ｂｌｕｅｔｏｏｔｈ  Ｓｙｓｔｅｍ）に規定されたページシーケンスを実行することにより、相互のデバイス・アドレスを確認して、固定端末２とブルートゥースのリンクを確立する。
その後、携帯電話機１は、ユーザが所望するサービス（固定端末５が有するサービス）を固定端末２が有しているか否かを確認し、固定端末２が所望のサービスを有していないので、ブルートゥースのリンクを停止する（第３図を参照）。
次に、携帯電話機１は、同様にして、固定端末３，４とブルートゥースのリンクを確立するが、この例では、固定端末３，４が所望のサービスを有していないので、ブルートゥースのリンクを停止する。
次に、携帯電話機１は、同様にして、固定端末５とブルートゥースのリンクを確立する。この例では、固定端末５が所望のサービスを有しているので、ブルートゥースのリンクを継続する。
なお、上記従来例の他に、新たな装置を無線ローカルエリアネットワークに導入する技術が特開２０００−２２４１９７号公報に開示されている。
しかし、かかる技術は、あくまでも、無線ローカルエリアネットワークの構築に関するものであり、２つのデバイスをブルートゥースにより相互接続するものとは異なる。
従来の無線通信システムは以上のように構成されているので、デバイス・アドレスを返送してきた全ての固定端末に対して、サービスの所有の有無を確認しなければならず、速やかに所望の固定端末５と無線通信を実施することができない課題があった。
この発明は上記のような課題を解決するためになされたもので、速やかに所望のアクセスポイントと無線通信を実施することができる携帯情報端末、無線通信システム及びリンク確立方法を得ることを目的とする。
発明の開示
この発明に係る携帯情報端末は、現在位置を検出して当該位置情報をアクセスポイント管理装置に送信する送信手段と、そのアクセスポイント管理装置が当該位置情報を受信して近傍に位置するアクセスポイントのデバイス・アドレスを返送してくると、そのデバイス・アドレスを受信する受信手段とを設けたものである。
このことによって、速やかに所望のアクセスポイントと無線通信を実施することができる効果がある。
この発明に係る携帯情報端末は、ブルートゥース仕様に規定されたページシーケンスを実行して、アクセスポイントとブルートゥースのリンクを確立するようにしたものである。
このことによって、簡単にブルートゥースのリンクを確立することができる効果がある。
この発明に係る無線通信システムは、携帯情報端末から位置情報を受信すると、近傍に位置するアクセスポイントのデバイス・アドレスを位置情報に基づいて検索するアクセスポイント管理装置を設けたものである。
このことによって、速やかに所望のアクセスポイントと無線通信を実施することができる効果がある。
この発明に係る無線通信システムは、アクセスポイントが固定端末であるようにしたものである。
このことによって、固定端末とブルートゥースのリンクを確立することができる効果がある。
この発明に係る無線通信システムは、アクセスポイントが携帯情報端末であるようにしたものである。
このことによって、携帯情報端末とブルートゥースのリンクを確立することができる効果がある。
この発明に係るリンク確立方法は、現在位置を検出して当該位置情報をアクセスポイント管理装置に送信する一方、そのアクセスポイント管理装置が当該位置情報を受信して近傍に位置するアクセスポイントのデバイス・アドレスを返送してくると、そのデバイス・アドレスを受信するようにしたものである。
このことによって、速やかに所望のアクセスポイントと無線通信を実施することができる効果がある。
発明を実施するための最良の形態
以下、この発明をより詳細に説明するために、この発明を実施するための最良の形態について、添付の図面に従って説明する。
実施の形態１．
第４図はこの発明の実施の形態１による無線通信システムを示す構成図であり、図において、１１は携帯情報端末である携帯電話機、１２〜１４は自動販売機などの固定端末（アクセスポイント）、１５は携帯電話機１１から位置情報を受信すると、携帯電話機１１の近傍に位置する固定端末のデバイス・アドレスＢＤ＿ＡＤＤＲを位置情報に基づいて検索し、そのデバイス・アドレスＢＤ＿ＡＤＤＲを携帯電話機１１に送信するサービスプロバイダのアクセスポイント管理装置である。
２１は現在位置を検出して当該位置情報をアクセスポイント管理装置１５に送信する一方、アクセスポイント管理装置１５が当該位置情報を受信して携帯電話機１１の近傍に位置する固定端末のデバイス・アドレスＢＤ＿ＡＤＤＲを返送してくると、そのデバイス・アドレスＢＤ＿ＡＤＤＲを受信する送受信部（送信手段、受信手段）、２３は送受信部２２により受信されたデバイス・アドレスＢＤ＿ＡＤＤＲを用いて固定端末とブルートゥースのリンクを確立する近距離無線データ通信部（リンク確立手段）である。
２４は携帯電話機１１の近傍に位置する固定端末のデバイス・アドレスＢＤ＿ＡＤＤＲを位置情報に基づいて検索するアドレス管理部、２５は固定端末１２〜１４における固有のデバイス・アドレスＢＤ＿ＡＤＤＲを格納するデータベース、２６は固定端末１２〜１４のサービスを管理するサービスサーバである。
第５図はこの発明の実施の形態１によるリンク確立方法を示すフローチャートである。
次に動作について説明する。
例えば、ユーザが携帯電話機１１を用いて固定端末１２を操作する場合、携帯電話機１１と固定端末１２間をブルートゥースにより相互接続する。
具体的には、ブルートゥースのリンクを確立する場合、携帯電話機１１を所持するユーザが固定端末１２に近づいて（約１０ｍの範囲内まで近づく）、図示せぬ携帯電話機１１の位置情報送信ボタンをプッシュする。
これにより、携帯電話機１１の送受信部２１は、内蔵のＧＰＳや携帯電話機１１の位置情報サービスを利用して、携帯電話機１１の現在位置を検出し（ステップＳＴ１）、その位置情報をアクセスポイント管理装置１５に送信する（ステップＳＴ２）。
アクセスポイント管理装置１５のアドレス管理部２４は、携帯電話機１１から位置情報を受信すると、その位置情報をキーにして、データベース２５から携帯電話機１１の近傍に位置する固定端末１２のデバイス・アドレスＢＤ＿ＡＤＤＲを検索し（ステップＳＴ３）、そのデバイス・アドレスＢＤ＿ＡＤＤＲを携帯電話機１１に送信する（ステップＳＴ４）。
携帯電話機１１の送受信部２１は、アクセスポイント管理装置１５からデバイス・アドレスＢＤ＿ＡＤＤＲを受信し、そのデバイス・アドレスＢＤ＿ＡＤＤＲを近距離無線データ通信部２３に出力する。
携帯電話機１１の近距離無線データ通信部２３は、送受信部２１からデバイス・アドレスＢＤ＿ＡＤＤＲを受けると、ブルートゥース仕様（Ｓｐｅｃｉｆｉｃａｔｉｏｎ  ｏｆ  ｔｈｅ  Ｂｌｕｅｔｏｏｔｈ  Ｓｙｓｔｅｍ）に規定されたページシーケンスを実行することにより、固定端末１２と相互にデバイス・アドレスを確認して、固定端末１２とブルートゥースのリンクを確立する（ステップＳＴ５）。
なお、固定端末１２は所望のサービスを有しているので、ブルートゥースのリンクが中止されることはない。
以上で明らかなように、この実施の形態１によれば、現在位置を検出して当該位置情報をアクセスポイント管理装置１５に送信する一方、そのアクセスポイント管理装置１５が当該位置情報を受信して携帯電話機１１の近傍に位置する固定端末１２のデバイス・アドレスＢＤ＿ＡＤＤＲを返送してくると、そのデバイス・アドレスＢＤ＿ＡＤＤＲを受信するように構成したので、アドレス要求信号を発信して、多くの固定端末からデバイス・アドレスＢＤ＿ＡＤＤＲを受信したのち、全ての固定端末に対してサービスの所有の有無を確認する必要がなくなる。その結果、速やかに所望の固有端末１２と無線通信を実施することができる効果を奏する。
実施の形態２．
上記実施の形態１では、アクセスポイント管理装置１５が１つのデバイス・アドレスのみ送信するものについて示したが、複数のデバイス・アドレスを送信する場合でも（例えば、近傍に複数の固定端末が存在する場合には、複数のデバイス・アドレスが送信される場合がある）、サービスの所有の有無を確認する固定端末の個数を制限することができる。したがって、この場合でも、従来のものよりも、速やかに所望の固有端末と無線通信を実施することができる効果を奏する。
実施の形態３．
上記実施の形態１では、アクセスポイントが固定端末１２〜１４であるものについて示したが、これに限るものではなく、例えば、携帯電話機などの携帯情報端末であってもよい。
産業上の利用可能性
以上のように、この発明に係る携帯情報端末、無線通信システム及びリンク確立方法は、ブルートゥースのリンクを確立する際、無駄な手順を省略して、速やかにリンクの確立を実現するものに適している。
【図面の簡単な説明】
第１図は従来の無線通信システムを示す構成図である。
第２図はデバイス・アドレスの受信手順を示すシーケンス図である。
第３図は所望のサービスの問合せ処理を示すシーケンス図である。
第４図はこの発明の実施の形態１による無線通信システムを示す構成図である。
第５図はこの発明の実施の形態１によるリンク確立方法を示すフローチャートである。
【図１】
2002082852.tif 000003
【図２】
2002082852.tif 000004
【図３】
2002082852.tif 000005
【図４】
2002082852.tif 000006
【図５】
2002082852.tif 000007
【国際調査報告】
2002082852.tif 000008
2002082852.tif 000009